(57)【要約】【課題】本発明は、簡単な構造で十分な強度を備えるとともにデザイン性に優れた眼鏡用枠体及びそれを備えた眼鏡フレームを提供することを目的とする。【解決手段】眼鏡用枠体１は、レンズＬを保持するレンズ枠部５ａ及び５ｂと、レンズ枠部の上下に延設されてレンズ枠部に係合する細幅支持部２ａ〜２ｄと、細幅支持部の一方の端部を一体的に連結するとともに折り曲げ形成された連結部３とを備えており、細幅支持部及び連結部は、金属薄板を加工して形成された板状体を変形させて構成されている。【選択図】図１
2011085668.tif 000002
【特許請求の範囲】
【請求項１】
レンズを保持する一対のレンズ枠部と、前記レンズ枠部の上下に延設されるとともに前記レンズ枠部に係合する左右一対の細幅支持部と、前記細幅支持部の一方の端部を一体的に連結するとともに折り曲げ形成された連結部とを備え、前記細幅支持部及び前記連結部は、金属薄板を加工して形成された板状体を変形させて構成されていることを特徴とする眼鏡用枠体。
【請求項２】
前記レンズ枠部の下方に延設された前記細幅支持部には、ノーズパッドを保持する保持部が一体形成されていることを特徴とする請求項１に記載の眼鏡用枠体。
【請求項３】
請求項１又は２に記載の眼鏡用枠体と、左右の各対の前記細幅支持部の他方の端部を連結するとともに当該端部に回動可能に取り付けられたテンプルとを備えていることを特徴とする請求項１又は２に記載の眼鏡フレーム。
【発明の詳細な説明】
【技術分野】
【０００１】
本発明は、レンズを保持する眼鏡用枠体及びそれを備えた眼鏡フレームに関する。
【背景技術】
【０００２】
眼鏡フレームは、レンズを保持するフロント部分であるレンズ枠体に蝶番を介してテンプルを取り付けてテンプルが折り畳めるように構成されている。レンズ枠体は、レンズを保持する枠部であるリム、左右のリムを連結するブリッジ、眼鏡を掛ける際に鼻に当接するノーズパッド、蝶番に連結される智といった部材を一体化して備えている。
【０００３】
レンズ枠体は、眼鏡フレームのデザインを考える上で重要な部分であり、また、眼鏡の掛け心地や安全性を向上する上でその形状等の様々な改良工夫が行われてきている。例えば、特許文献１では、プラスチックレンズを加工してレンズフレームに使用した点が記載されている。また、特許文献２では、眼鏡フロント枠のリムを形成するループ状金属線の自由端部をブリッジに掛け外しするようにしたフック開閉式の眼鏡リムが記載されている。また、特許文献３では、ブランケット及びブリッジの間を結合する渡り部材を設け、渡り部材の間にレンズを取り付けるようにした眼鏡フレームが記載されている。また、特許文献４では、一体形成されたレンズ枠体の側部を分離可能としてレンズを交換できるようにした眼鏡が記載されている。また、特許文献５では、左右のレンズを保持するリム部を具備する前枠と、左右のテンプルと、左右のテンプルに連結されて前枠が着脱自在に前面に取り付けられる細長部材とを備えた眼鏡が記載されている。
【先行技術文献】
【特許文献】
【０００４】
【特許文献１】特開昭６２−１６３０１３号公報
【特許文献２】実開平６−３６０２３号公報
【特許文献３】特開平９−２３６７８０号公報
【特許文献４】特開２００６−１６３３８６号公報
【特許文献５】特開２００７−３３４２１９号公報
【発明の概要】
【発明が解決しようとする課題】
【０００５】
上述した特許文献では、眼鏡フレームのフロント部分に対して様々な改良工夫が行われているが、デザインを重視して細い部材を用いて構造を簡略化したり、利便性を考慮してレンズを交換可能な構造にする場合、構造の強度が低下して安全性の面で問題が生じる。一方、安全性を重視する場合、肉厚の部材を用いて強度を高めたり、接合部分の強度を高める必要があるが、デザイン設計の自由度がなくなり、重量が重くなって掛け心地の点で問題が生じるようになる。
【０００６】
そこで、本発明は、簡単な構造で十分な強度を備えるとともにデザイン性に優れた眼鏡用枠体及びそれを備えた眼鏡フレームを提供することを目的とする。
【課題を解決するための手段】
【０００７】
本発明に係る眼鏡用枠体は、レンズを保持する一対のレンズ枠部と、前記レンズ枠部の上下に延設されるとともに前記レンズ枠部に係合する左右一対の細幅支持部と、前記細幅支持部の一方の端部を一体的に連結するとともに折り曲げ形成された連結部とを備え、前記細幅支持部及び前記連結部は、金属薄板を加工して形成された板状体を変形させて構成されていることを特徴とする。さらに、前記レンズ枠部の下方に延設された前記細幅支持部には、ノーズパッドを保持する保持部が一体形成されていることを特徴とする。
【０００８】
本発明に係る眼鏡フレームは、上記の眼鏡用枠体と、左右の各対の前記細幅支持部の他方の端部を連結するとともに当該端部に回動可能に取り付けられたテンプルとを備えていることを特徴とする。
【発明の効果】
【０００９】
本発明は、上記のような構成を有することで、金属薄板を加工して形成された板状体を変形させて細幅支持部及び連結部を構成するようにし、左右一対の細幅支持部を一体的に連結した連結部を折り曲げ形成しているので、簡単な構造で従来の枠体と同様の強度を有するようになる。また、板状体を変形させて細幅支持部の形状を形成しているので、様々なデザインに合わせて細幅支持部を変形させることができ、デザイン性に優れたものとなっている。また、レンズ枠部を細幅支持部に係合させているので、レンズ枠部を取り外してレンズを容易に交換することができる。
【００１０】
細幅支持部にノーズパッドを保持する保持部を一体形成すれば、構造をより簡略化することができる。また、保持部の形状を細幅支持部と同様に変形させて構成すれば、様々なデザインに対応することが可能となる。
【図面の簡単な説明】
【００１１】
【図１】本発明に係る眼鏡フレームに関する平面図である。
【図２】本発明に係る眼鏡フレームに関する正面図である。
【図３】本発明に係る眼鏡フレームに関する側面図である。
【図４】眼鏡フレームに関する分解斜視図である。
【図５】レンズ枠部に関する分解斜視図である。
【図６】眼鏡用枠体１を構成するための板状体に関する平面図である。
【図７】板状体を変形して眼鏡用枠体に構成する工程を示す説明図である。
【図８】板状体を変形して眼鏡用枠体に構成する工程を示す説明図である。
【図９】板状体を変形して眼鏡用枠体に構成する工程を示す説明図である。
【発明を実施するための形態】
【００１２】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１３】
図１から図３は、本発明に係る眼鏡フレームに関する平面図、正面図及び側面図であり、図４は、眼鏡フレームに関する分解斜視図である。眼鏡用枠体１は、金属製薄板を加工して形成された板状体を変形して構成された左右一対の細幅支持部２ａ〜２ｄ及び連結部３と、レンズＬを保持する一対のレンズ枠部５ａ及び５ｂとを備えている。
【００１４】
細幅支持部２ａ及び２ｂは、それぞれレンズ枠部５ａの上下に延設されており、細幅支持部２ｃ及び２ｄは、それぞれレンズ枠部５ｂの上下に延設されている。細幅支持部２ａ〜２ｄは、対向する一方の端部が連結部３において一体的に連結され、連結部３を中心にその両側に延設されている。細幅支持部２ａ及び２ｃは、それぞれ連結部３から両側に延設されてレンズ枠部５ａ及び５ｂの上端部に沿ってわずかに湾曲形成されており、他方の端部はレンズ枠部５ａ及び５ｂからさらに外方に延設されている。細幅支持部２ｂ及び２ｄは、それぞれ連結部３から両側に延設されてレンズ枠部５ａ及び５ｂの内側端部、下端部及び外側端部に沿って大きく湾曲形成されており、他方の端部はレンズ枠部５ａ及び５ｂからさらに外方に延設されてそれぞれ細幅支持部２ａ及び２ｃの他方の端部に対向配置されている。
【００１５】
連結部３は、Ｕ字状に折り曲げ形成されており、連結部３がこのように折り曲げられることで細幅支持部２ａ及び２ｂ並びに細幅支持部２ｃ及び２ｄのそれぞれの片面が対向するように設定されている。細幅支持部２ａ及び２ｃには、それぞれレンズ枠部５ａ及び５ｂの上端部の中央部分に対向する位置に溝状の係合孔２０ａ及び２０ｃが穿設されており、細幅支持部２ｂ及び２ｄには、それぞれレンズ枠部５ａ及び５ｂの下端部の中央部分に対向する位置に溝状の係合孔２０ｂ及び２０ｄが穿設されている。また、細幅支持部２ａ〜２ｄのレンズ枠部５ａ及び５ｂからさらに外方に延設された他方の端部には、後述するテンプル６ａ及び６ｂを取り付けるための回動孔２１ａ〜２１ｄがそれぞれ穿設されている。
【００１６】
細幅支持部２ｂ及び２ｄには、レンズ枠部５ａ及び５ｂの内側端部に対向する位置にノーズパッドを保持する保持部４ａ及び４ｂが一体形成されている。保持部４ａ及び４ｂは、内方に向かって延設されており、それぞれノーズパッドを嵌め込んで保持するリング状の嵌合部４０ａ及び４０ｂがＵ字状に大きく湾曲された細幅の接続部４１ａ及び４１ｂを介して細幅支持部２ｂ及び２ｄに接続されている。
【００１７】
レンズ枠部５ａ及び５ｂは、金属薄板を加工してリング状に形成されており、一部切断されて開くようになっている。そして、切断箇所の端部には、それぞれネジ穴が穿設された突起部５２ａ及び５３ａ並びに突起部５２ｂ及び５３ｂが設けられている。図５に示すように、レンズＬの周囲には、全周に細幅の溝ｍが形成されており、レンズ枠部５ａ及び５ｂを開いて内周端にレンズＬの溝ｍを嵌め込んでレンズＬを取り付ける。レンズＬの装着後突起部５２ａ及び５３ａ並びに突起部５２ｂ及び５３ｂをそれぞれ接合させた状態でネジ止め固定し、レンズＬをレンズ枠部５ａ及び５ｂで保持する。
【００１８】
レンズ枠部５ａの上端部及び下端部にはそれぞれ段差状に突出した係合部５０ａ及び５１ａが形成されており、係合部５０ａが係合孔２０ａに、係合部５１ａが係合孔２０ｂにそれぞれ嵌め込まれることで、細幅支持部２ａ及び２ｂの間にレンズ枠部５ａが挟持されるようになっている。
【００１９】
そして、細幅支持部２ａ及び２ｂの間にレンズ枠部５ａを挟持した状態で、細幅支持部２ａ及び２ｂの他方の端部にテンプル６ａを取り付けてネジ７ａにより固定することでレンズ枠部５ａが外れないように支持固定される。
【００２０】
テンプル６ａは、取付端部に細幅支持部２ａ及び２ｂの他方の端部を挿入する切溝６１ａ及び６２ａが長手方向に沿って形成されており、切溝６１ａ及び６２ａを貫くようにネジ穴６０ａが幅方向に沿って穿設されている。そして、挿入された細幅支持部２ａ及び２ｂの他方の端部に形成された回動孔２１ａ及び２１ｂがネジ穴６０ａに合致するように位置合せしてネジ穴６０ａにネジ７ａを螺着することでテンプル６ａを回動可能に取り付けることができる。
【００２１】
レンズ枠部５ｂの上端部及び下端部にはそれぞれ段差状に突出した係合部５０ｂ及び５１ｂが形成されており、係合部５０ｂが係合孔２０ｃに、係合部５１ｂが係合孔２０ｄにそれぞれ嵌め込まれることで、細幅支持部２ｃ及び２ｄの間にレンズ枠部５ｂが挟持されるようになっている。
【００２２】
そして、細幅支持部２ｃ及び２ｄの間にレンズ枠部５ｂを挟持した状態で、細幅支持部２ｃ及び２ｄの他方の端部にテンプル６ｂを取り付けてネジ７ｂにより固定することでレンズ枠部５ｂが外れないように支持固定される。
【００２３】
テンプル６ｂは、取付端部に細幅支持部２ｃ及び２ｄの他方の端部を挿入する切溝６１ｂ及び６２ｂが長手方向に沿って形成されており、切溝６１ｂ及び６２ｂを貫くようにネジ穴６０ｂが幅方向に沿って穿設されている。そして、挿入された細幅支持部２ｃ及び２ｄの他方の端部に形成された回動孔２１ｃ及び２１ｄがネジ穴６０ｂに合致するように位置合せしてネジ穴６０ｂにネジ７ｂを螺着することでテンプル６ｂを回動可能に取り付けることができる。
【００２４】
図６は、平板状の金属薄板Ｐを加工して眼鏡用枠体１を構成するための板状体を形成する場合の平面図である。板状体は、細幅支持部２ａ〜２ｄ、連結部３並びに保持部４ａ及び４ｂを一体化して平板状に展開したものである。この例では、レンズ枠部５ａ及び５ｂについても同じ金属薄板Ｐを加工して形成するようにしている。このように、金属薄板から形成した板状体を用いることで眼鏡用枠体１の軽量化を図ることができる。
【００２５】
金属薄板Ｐの加工は、打ち抜き加工、レーザ切断加工、エッチング加工等の公知の加工方法を用いることができ、こうした加工方法により板状体を切り出すようにすればよい。金属薄板Ｐとしては、チタン、チタン合金、ステンレス、アルミニウム、アルミニウム合金、マグネシウム合金、金無垢等の公知の材料からなり、厚さ０．３ｍｍ〜２．０ｍｍに形成した薄板を用いればよい。
【００２６】
図７から図９は、金属薄板Ｐから形成された板状体を変形して眼鏡用枠体１に構成する工程を示す説明図である。まず、図７に示すように、連結部３を二つ折りするようにＵ字状に折り曲げて、細幅支持部２ａ及び２ｂ並びに細幅支持部２ｃ及び２ｄの連結部分がそれぞれ重なるようにする。連結部３の折り曲げにより、細幅支持部２ａ及び２ｂの片面が互いに対向するように設定され、細幅支持部２ｃ及び２ｄの片面についても互いに対向するように設定される。
【００２７】
次に、図８に示すように、細幅支持部２ｂ及び２ｄを連結部分で折り曲げるように大きく湾曲させる。そして、図９に示すように、細幅支持部２ｂ及び２ｄをレンズ枠部５ａ及び５ｂの両側端及び下端部に沿うように湾曲形成し、細幅支持部２ａ及び２ｃをレンズ枠部５ａ及び５ｂの上端部に沿うようにわずかに湾曲形成する。
【００２８】
以上のように板状体を変形させることで、眼鏡枠体１の細幅支持部２ａ〜２ｄ及び連結部３を一体形成することができる。そのため、部材を組み合せた場合のような接続部分がなく、全体の強度を高めることが可能となる。そして、連結部３をＵ字状に折り曲げ形成し、両側から細幅支持部２ａ〜２ｄが片面を対向させて突出するように延設しているので、眼鏡用枠体１の上下方向及び前後方向の衝撃に対しても十分な強度を有するようになり、レンズ枠部５ａ及び５ｂが不用意に外れることはない。
【００２９】
また、ネジ７ａ及び７ｂを外してテンプル６ａ及び６ｂを細幅支持部から取り外すことで、細幅支持部の他方の端部が開くようになり、レンズ枠部５ａ及び５ｂを簡単に取り外すことができる。そのため、レンズ交換を容易に行うことが可能となる。
【００３０】
デザインに合わせて眼鏡用枠体１の形状を変更する場合には、金属薄板を加工する際にデザインに合わせて板状体を形成すればよく、デザイン変更に対して容易に対応することができる。そのため、眼鏡のデザイン設計を行う上で制約が少なく、デザイン性に優れた眼鏡フレームを作成することが可能となる。また、レンズ枠部を別体にして取り付けるようにしているので、レンズ枠部に別の色や模様を付与することで、眼鏡フレームのデザインのバリエーションを大きくすることができる。
【００３１】
以上説明した例では、細幅支持部にテンプルを直接取り付けるようにしているが、蝶番を介してテンプルを取り付けるようにしてもよく、その場合にはテンプルのデザインに制約を受けることがなくなり、デザイン設計の自由度を高めることができる。
【符号の説明】
【００３２】
１    眼鏡用枠体
２    細幅支持部
３    連結部
４    保持部
５    レンズ枠部
６    テンプル
７    ネジ
【図１】
2011085668.tif 000003
【図２】
2011085668.tif 000004
【図３】
2011085668.tif 000005
【図４】
2011085668.tif 000006
【図５】
2011085668.tif 000007
【図６】
2011085668.tif 000008
【図７】
2011085668.tif 000009
【図８】
2011085668.tif 000010
【図９】
2011085668.tif 000011